(57)【要約】【課題】陳列商品が外から見易くて取り出しも容易な平型オープンショーケースを提供する。【解決手段】上面が開放する商品収容室１を有する。商品収容室１の前側、下側および後側を囲む外箱２と、内箱３との間に、冷気循環通路５が区画形成されている。後方上位の吹出口１２から吹き出た冷気が、商品収容室１の上方にエアーカーテンを形成して、前方下位の吸込口１０に吸い込まれて循環する。外箱２の前壁９には、透明の外堰板１３を吸込口１０に沿って上向きに立設する。内箱３の前壁１５には、外堰板１３よりも高さの低い透明の内堰板６を吸込口１０に沿って上向きに立設する。外箱２の前壁９の上端面は、商品収容室１の底に設けられるデッキパン１７の前端側の上面に対してほぼ面一状になる高さに位置設定する。【選択図】図２
2006095017.tif 000002
【特許請求の範囲】
【請求項１】
上面が開放する商品収容室（１）を有し、
商品収容室（１）の前側、下側および後側を囲む外箱（２）と内箱（３）との間に、冷気循環通路（５）が区画形成されており、
冷気循環通路（５）の内部に蒸発器（６）と送風ファン（７）とが配されており、
外箱（２）の前壁（９）の内側に、冷気循環通路（５）に通じる吸込口（１０）が形成され、外箱（２）の後壁（１１）の内側上方に、冷気循環通路（５）に通じる吹出口（１２）が形成されており、
吹出口（１２）から吹き出た冷気が、商品収容室（１）の上方にエアーカーテンを形成して、吸込口（１０）に吸い込まれて循環する平型オープンショーケースであって、
外箱（２）の前壁（９）には、冷気が前方外側に流出するのを防ぐために、透明の外堰板（１３）が、吸込口（１０）に沿って上向きに立設されており、
内箱（３）の前壁（１５）には、商品収容室（１）の冷気を堰き止めるために、外堰板（１３）よりも高さが低い透明の内堰板（１６）が、吸込口（１０）に沿って上向きに立設されており、
吹出口（１２）から吹き出る冷気のエアーカーテンの気流中心が、外堰板（１３）の上下方向の中間であって、内堰板（１６）の上端よりも上方に指向されており、
外箱（２）の前壁（９）の上端面が、商品収容室（１）の底に配したデッキパン（１７）の前端側の上面に対してほぼ面一状になる高さに位置設定されていることを特徴とする平型オープンショーケース。
【請求項２】
外堰板（１３）の上端が、吹出口（１２）とほぼ同じ高さ位置に設定されている請求項１記載の平型オープンショーケース。
【請求項３】
デッキパン（１７）と、内箱（３）の底壁（１９）との間に、冷気循環通路（５）の冷気の一部を通す通気室（２０）が設けられている請求項１又は２記載の平型オープンショーケース。
【発明の詳細な説明】
【技術分野】
【０００１】
本発明は、図２に示すごとく、上面が開放する商品収容室１を有し、商品収容室１の前側、下側および後側を囲む外箱２と内箱３との間に、冷気循環通路５が区画形成されており、冷気循環通路５の内部に蒸発器６と送風ファン７とが配されており、外箱２の前壁９の内側に、冷気循環通路５に通じる吸込口１０が形成され、外箱２の後壁１１の内側上方に、冷気循環通路５に通じる吹出口１２が形成されており、吹出口１２から吹き出た冷気が、商品収容室１の上方にエアーカーテンを形成して、吸込口１０に吸い込まれて循環する平型オープンショーケースに関する。
【背景技術】
【０００２】
上記形態を採る本発明の平型オープンショーケースにおいて、
Ａ．外箱２の前壁９には、冷気が前方外側に流出するのを防ぐために、透明の外堰板１３が、吸込口１０に沿って上向きに立設されていること、
Ｂ．内箱３の前壁１５には、商品収容室１の冷気を堰き止めるために、外堰板１３よりも高さが低い透明の内堰板１６が、吸込口１０に沿って上向きに立設されていること、
Ｃ．吹出口１２から吹き出る冷気のエアーカーテンの気流中心が、外堰板１３の上下方向の中間であって、内堰板１６の上端よりも上方に指向されていること、
は、個別的に見ると特許文献１、２に公知である。
【０００３】
【特許文献１】特開２００１−３２４２５１号公報（段落番号００１１、図１）
【特許文献２】実開昭６２−１０１７７３号公報（図１、図５）
【発明の開示】
【発明が解決しようとする課題】
【０００４】
従来の平型オープンショーケースでは、商品収容室のデッキパンが下位に位置して、外箱の前壁の上端面はデッキパンよりも高い位置にある。したがって、とくに背の低い者には、デッキパン上の陳列商品が認め難く、陳列商品の取り出しにも難があった。
【０００５】
本発明の目的は、前面外側から商品収容室の陳列商品が見やすくて、商品陳列効果を向上できる平型オープンショーケースを提供することにある。本発明の目的は、商品収容室からの陳列商品の取り出しも容易に行える平型オープンショーケースを得るにある。
【課題を解決するための手段】
【０００６】
本発明は、冷気の吹出口１２が吸込口１０よりも上方に位置し、外堰板１３が内堰板１６よりも上方に高く突出した位置関係にある先の平型オープンショーケースにおいて、外箱２の前壁９の上端面が、商品収容室１の底に配したデッキパン１７の前端側の上面に対してほぼ面一状になる高さに位置設定されていることを特徴とする。
【０００７】
すなわち、本発明はこれを具体的に説明すると、商品収容室１のデッキパン１７を従来例よりも高位置にセットする一方、外箱２の前壁９の床面Ｆからの高さＨ１をデッキパン１７の高さに合わせて従来例よりも低くセットすることによって達成できる。
【０００８】
その際、冷却効率を高めるために、外堰板１３の上端は、吹出口１２とほぼ同じ高さ位置にすることが望まれる。このことは、外箱２の前壁９の上端面が低くなった分だけ外堰板１３の突出高さ（上下長さ寸法）が、従来例のそれよりも大きくなることを意味する。
【０００９】
デッキパン１７を高位置にセットしたことに伴い、デッキパン１７と、内箱３の底壁１９との間には、冷気循環通路５の冷気の一部を通す通気室２０を設けることができる。
【００１０】
外堰板１３は、強化板ガラスなどで透明に形成することができ、上面開放型の商品収容室１の上方に冷気のエアーカーテンを形成する際に、吹出口１２からの冷気を受け止めて冷気が前方外側に流れ出ないようにし、その冷気を吸込口１０に案内するよう働く。
【００１１】
内堰板１６は、アクリル板などで透明に形成することができ、商品収容室１内に収容された商品が吸込口１０上に覆い被さって、円滑な冷気循環を阻害することを防止している。
【００１２】
外堰板１３および内堰板１６は、透明であるから、外箱２の前壁９の前方外側から商品収容室１を背伸びをしてのぞき込まなくても、デッキパン１７上の前端側の陳列商品まで見透すことができる。
【発明の効果】
【００１３】
本発明によれば、床面Ｆから外堰板１３の上端までの高さ（Ｈ１＋Ｈ２）が従来例と同じであったとしても、顧客は商品収容室１をのぞき込むことなく、デッキパン１７上にある陳列商品の全容を前方外側から容易確実に見透すことができる。そのうえで、顧客は前屈みにならずとも、外堰板１３越しに手を伸ばして陳列商品を簡単に取り出せる。
【発明を実施するための最良の形態】
【００１４】
本発明に係る平型オープンショーケースの基本形態は、既に説明したとおりである。但し、商品収容室１に設けられるべきデッキパン１７は、従来の一般的なそれに比べて高位置に配する。これに伴い、デッキパン１７と内箱３の底壁１９との間には、冷気のバイパス路となる通気室２０が形成されている。
【００１５】
外箱２の前壁９の上端面に起立する垂直状の外堰板１３と、内箱３の前壁１５の上端に起立する垂直状の内堰板１６とは、吸込口１０をはさむ状態でこれの外側と内側とに吸込口１０に沿って配されている。
【００１６】
冷気循環通路５の冷気の一部は、内箱３の後壁２１側から通気室２０に取り込んだのち内箱３の前壁１５を経て冷気循環通路５に戻し、通気室２０を通る冷気でデッキパン１７を介して商品収容室１を下方から冷却する。通気室２０の存在は、デッキパン１７上に置いた陳列商品の冷却効率の向上に資する。
【００１７】
かかる平型オープンショーケースにおいて、外箱２の前壁９の上端面が、商品収容室１の底に配されるデッキパン１７の前端側の上面に対して実質的にほぼ面一状になる高さに位置設定されていることを特徴とする。ここでのデッキパン１７は、前端が内箱３の前壁１５の上端に受け止められ、後端が内箱３の後壁２１の上下中間高さ位置に受け止められている。
【００１８】
図２において図示例では、底面Ｆから外箱２の前壁９の上端面までの高さＨ１を５５０mm、前壁９の上端面から垂直に立ち上げた外堰板１３の上端までの高さＨ２を２００mmにそれぞれ寸法設定した。したがって、床面Ｆからデッキパン１７の前端上面までの高さ寸法も５５０mmとした。デッキパン１７の前端上面から内堰板１６の突出高さは、７０mmに設定した。床面Ｆから吹出口１２までの高さは、床面Ｆからの外堰板１３の上端までの高さ（Ｈ１＋Ｈ２）にほぼ相当している。
【００１９】
高さ寸法に関し、当出願人の従来例では、上記寸法Ｈ１が６５０mm、上記寸法Ｈ２が１００mmであった。この従来例との比較でみると、本実施例における底面Ｆから外堰板１３の上端までの全高（Ｈ１＋Ｈ２）は、従来例と同じであるが、外箱２の前壁９の高さＨ１が従来例よりも１００mm低くなっている。
【００２０】
このように、デッキパン１７の配設位置を高位にセットしたうえで、これの高さに合わせて外箱２の前壁９の高さＨ１を低くしたことにより、外箱２の前壁９の前方外側から透明の外堰板１３および内堰板１６を透して商品収容室５のデッキパン１７上の陳列商品が見易くなった。また、デッキパン１７が持ち上っている分だけ、外堰板１３越しに陳列商品を用意に取り出せるものとなった。
【００２１】
図示例のデッキパン１７は、商品収容室１に水平姿勢でセットしたが、デッキパン１７の後端側を内箱３の後壁２１に対して上下複数段に受け止められるようにし、必要に応じてデッキパン１７を後ろ上がり傾斜姿勢に配することができる。
【００２２】
更に、デッキパン１７の前端が内箱３の前壁１５の上端にある上限のセット位置において、デッキパン１７の前端上面に対し外箱２の前壁９の上端が同一高さ位置ないし僅かに低い位置にあればよく、この限りにおいてデッキパン１７の前端が図２のセット位置よりも下方に受け止め可能とする形態も、本発明の予測するところである。
【図面の簡単な説明】
【００２３】
【図１】要部を拡大して示す縦断側面図
【図２】全体の縦断側面図
【図３】全体の一部切り欠き斜視図
【符号の説明】
【００２４】
１  商品収容室
２  外箱
３  内箱
５  冷気循環通路
９  外壁の前壁
１０  吸込口
１１  外箱の後壁
１２  吹出口
１３  外堰板
１５  内箱の前壁
１６  内堰板
１７  デッキパン
１９  内箱の底壁
２０  通気室
２１  内箱の後壁
【図１】
2006095017.tif 000003
【図２】
2006095017.tif 000004
【図３】
2006095017.tif 000005